【手続補正書】
【提出日】平成17年10月28日(2005.10.28)
【手続補正１】
【補正対象書類名】特許請求の範囲
【補正対象項目名】全文
【補正方法】変更
【補正の内容】
【特許請求の範囲】
【請求項１】
アイデアおよび知的作業の生成および履行の追跡のために１以上のサブスクライバが係わり合うことを容易にするためのコンピュータ・システムであって、
１以上のサブスクライバ中の１つのサブスクライバにより提起されたクエリを示す第１のデータを含む第１のドキュメントと、前記クエリに対する応答を示す第２のデータを含む第２のドキュメントとを格納するよう適合されたデータ記憶手段と、
前記データ記憶手段と通信するサブスクライバ・モジュールであって、（ｉ）前記サブスクライバ・モジュールは、多重線形の共通の階層型のドキュメントのチェーンに、前記第２のドキュメントを前記第１のドキュメントと共に含むように、前記第２のドキュメントを前記第１のドキュメントにリンクさせることを可能にするよう適合され、前記多重線形の共通の階層型のドキュメントのチェーンは、提起された前記クエリに関連する複数のリンクされたドキュメントを含むものであり、（ｉｉ）前記サブスクライバ・モジュールは、前記サブスクライバにより選択されたユーザ調節可能な匿名性レベルを有しつつ、前記サブスクライバを、前記第１のドキュメント及び前記第２のドキュメントのうちの少なくとも１つのものに係わり合わせることを可能にするよう適合され、前記サブスクライバは、最初の匿名性レベルを選択した後、ドキュメントが前記多重線形の共通の階層型のドキュメントのチェーンにリンクされた後に該多重線形の共通の階層型のドキュメントのチェーン中のドキュメントに対応する前記の選択された最初の匿名性レベルを選択的に調節するものである、サブスクライバ・モジュールと、
を備えるコンピュータ・システム。
【請求項２】
前記ユーザ調節可能な匿名性レベルが、完全な匿名性、実質的に完全な匿名性、選択的な匿名性、及び公開を含むグループから選択される、請求項１記載のコンピュータ・システム。
【請求項３】
前記サブスクライバの前記係わり合うことは、前記第１のドキュメント及び前記第２のドキュメントのうちの少なくとも１つのものに関連して関与ツールを用いてアクションを実行することを含む、請求項１記載のコンピュータ・システム。
【請求項４】
前記第１のドキュメント及び前記第２のドキュメントのうちの少なくとも１つのものに関する前記アクションは、アクセスすること、変更すること、注釈を付けること、量的評価をすること、質的評価をすること、ドキュメント特質を割り当てること、別のドキュメントを生成すること、別のドキュメントをリンクさせること、アタッチメントを付加すること、送ること、別のドキュメントへ接続すること、削除すること、好むものとして識別すること、著作者に接触すること、１又はそれより多くの他のサブスクライバをサーチすること、他のドキュメントをサーチすること、前記ドキュメントをサーチすること、及びドキュメント特質をサーチすることを含むグループから選択されるアクションを含む、請求項３記載のコンピュータ・システム。
【請求項５】
前記アクションを実行することは、１又はそれより多くのメリット・ポイントを発生する、請求項３記載のコンピュータ・システム。
【請求項６】
前記１又はそれより多くのメリット・ポイントを用いて、前記サブスクライバと、前記第１のドキュメント、前記第２のドキュメント、１又はそれより多くのドキュメント、及び別のサブスクライバのうちの少なくとも１つのものとの間の係わり合いを促進する、請求項５記載のコンピュータ・システム。
【請求項７】
前記サブスクライバ、前記第１のドキュメント、及び前記第２のドキュメントの重要性のレベルを識別すること、前記サブスクライバが前記第１のドキュメント及び前記第２のドキュメントのうちの少なくとも１つのものを送ることを可能にすること、係わり合いの量及び質を示すこと、前記サブスクライバが前記第１のドキュメント、前記第２のドキュメント、及び前記１又はそれより多くの他のドキュメントのうちの少なくとも１つのものに係わり合うことを許可すること、物理的世界の利益を回復すること、及び係わり合いを促進することを含むグループから選択された別のアクションに関連して、前記１又はそれより多くのメリット・ポイントを用いることができる、請求項５記載のコンピュータ・システム。
【請求項８】
前記サブスクライバ・モジュールが更に、前記サブスクライバによる前記第１のドキュメント及び前記第２のドキュメントのうちの少なくとも１つのドキュメントの評価を可能にするよう適合されている、請求項１記載のコンピュータ・システム。
【請求項９】
前記評価が、前記第１のドキュメント及び第２のドキュメントのうちの少なくとも１つのものを量的及び質的に評価することを更に含む、請求項８記載のコンピュータ・システム。
【請求項１０】
前記評価が、前記第１のドキュメント、前記第２のドキュメント、及び１又はそれより多くの他のドキュメントのうちの少なくとも１つのものを格付けすることを含む、請求項８記載のコンピュータ・システム。
【請求項１１】
前記データ記憶手段が、前記多重線形の共通の階層型のドキュメントのチェーンにリンクされた複数の他のドキュメントを更に含む、請求項１記載のコンピュータ・システム。
【請求項１２】
前記サブスクライバ・モジュールが、更に、前記サブスクライバが前記第１のドキュメント及び前記第２のドキュメントのうちの少なくとも１つのものを前記複数の他のドキュメントの少なくとも１つのものとリンクさせることを可能にするよう適合され、前記複数の他のドキュメントの少なくとも１つのものが前記第１のドキュメント及び前記第２のドキュメントと共に前記多重線形の共通の階層型のドキュメントのチェーンに含まれるようにする、請求項１１記載のコンピュータ・システム。
【請求項１３】
前記サブスクライバ・モジュールが、前記第１のドキュメントの視覚的表現と、前記第１のドキュメント、前記第２のドキュメント、及び前記複数の他のドキュメントのうちの少なくとも２つのドキュメントの間の１又はそれより多くのリンクの視覚的表現とを表示するよう適合されている、請求項１２記載のコンピュータ・システム。
【請求項１４】
前記視覚的表現が、前記１又はそれより多くのリンクを、当該１又はそれより多くのリンクの１又はそれより多くの世代を識別する１又はそれより多くの同心の環に適応させた同心的ビューとして表示する、請求項１３記載のコンピュータ・システム。
【請求項１５】
前記視覚的表現が、前記１又はそれより多くの同心の環の前記視覚的表現の実質的に中心に配置された前記クエリの視覚的表現を更に含み、前記視覚的表現が、前記第１のドキュメント、前記第２のドキュメント、及び前記複数の他のドキュメントの実質的に全てを表示する、請求項１４記載のコンピュータ・システム。
【請求項１６】
前記視覚的表現は、前記１又はそれより多くのリンクのうちの何れのものが前記サブスクライバにより以前にアクセスされたかを識別する、請求項１４記載のコンピュータ・システム。
【請求項１７】
前記第１のドキュメントは、第１のヘッダ・データ及び第１のボディ・データを備え、前記第１のヘッダ・データ及び前記第１のボディ・データは、前記第１のドキュメントと関連するデータの量を抑制するために事前定義された限定サイズを有する、請求項１記載のコンピュータ・システム。
【請求項１８】
前記データ記憶手段と通信する複数の他のサブスクライバ・モジュールを更に備える請求項１記載のコンピュータ・システム。
【請求項１９】
前記サブスクライバ・モジュールは、前記クエリに応答するための１又はそれより多くの他のサブスクライバを前記サブスクライバが選択することを容易にするように適合されている、請求項１記載のコンピュータ・システム。
【請求項２０】
前記少なくとも１つのサブスクライバは、前記第１のドキュメント、前記第２のドキュメント、及び１又はそれより多くの他のドキュメントのうちの少なくとも１つのドキュメントの著作者であり、前記著作者は、前記第１のドキュメント、前記第２のドキュメント及び前記１又はそれより多くの他のドキュメントの１又はそれより多くの評価と関連した格付け及び採点のうちの少なくとも１つを見ることができる、請求項１記載のコンピュータ・システム。
【請求項２１】
前記サブスクライバ・モジュールは、前記著作者が前記１又はそれより多くの評価と関連した１又はそれより多くのコメントを見ることを可能にするよう適合されている、請求項１９記載のコンピュータ・システム。
【請求項２２】
前記１又はそれより多くの評価のそれぞれが、前記少なくとも１つのサブスクライバによる前記第１のドキュメント、前記第２のドキュメント、及び前記１又はそれより多くの他のドキュメントのうちの少なくとも１つのドキュメントの量的採点及び質的コメントのうちの少なくとも１つを含む、請求項１９記載のコンピュータ・システム。
【請求項２３】
前記１以上のサブスクライバのうちの１つのサブスクライバがクエリ・マネジャである、請求項１記載のコンピュータ・システム。
【請求項２４】
前記第１のドキュメントと関連した前記データはサイズの制限があり、前記第１のサブスクライバが前記サイズの制限に対して前記クエリを圧縮する、請求項１記載のコンピュータ・システム。
【請求項２５】
前記第２のドキュメントは、第２世代のドキュメントであり、前記１又はそれより多くの同心の環のうちの第２の同心の環の上に配置される、請求項１５記載のシステム。
【請求項２６】
前記視覚的表現は、前記１又はそれより多くのリンクのうちの何れのものが、前記１以上のサブスクライバのうちの見るサブスクライバにより以前にアクセスされたかを識別する、請求項１５記載のシステム。
【請求項２７】
アイデアおよび知的作業の生成および履行の追跡のために１以上のサブスクライバが係わり合うことを容易にするためのコンピュータ・システムにおいて、コンピュータ読取可能媒体が、データ記憶手段と通信するよう適合されたサブスクライバ・モジュールを構成するコンピュータ実行可能な命令を有し、（ｉ）前記サブスクライバ・モジュールは、多重線形の共通の階層型のドキュメントのチェーンに第１のドキュメントと共に第２のドキュメントを含むように、前記第１のドキュメントと前記第２のドキュメントとをリンクさせることを可能にするよう適合され、前記多重線形の共通の階層型のドキュメントのチェーンは、提起されたクエリに関連する複数のリンクされたドキュメントを含むものであり、（ｉｉ）前記サブスクライバ・モジュールは、サブスクライバを、前記第１のドキュメント及び前記第２のドキュメントのうちの少なくとも１つのものに係わり合わせることを可能にするよう適合され、前記サブスクライバを係わり合わせることは、前記サブスクライバにより選択された別のサブスクライバに対してのユーザ調節可能な匿名性レベルを有して行われ、最初の匿名性レベルを選択した後、ドキュメントが前記多重線形の共通の階層型のドキュメントのチェーンにリンクされた後に該多重線形の共通の階層型のドキュメントのチェーン中のドキュメントに対応する前記の選択された最初の匿名性レベルが調節され、前記サブスクライバと前記第２のドキュメントを係わり合わせることは、前記サブスクライバにより提起されたクエリに応答してなされるものである、コンピュータ・システム。
【請求項２８】
前記ユーザ調節可能な匿名性レベルが、匿名性、実質的な匿名性、選択的な匿名性、及び公開を含むグループから選択される、請求項２７記載のコンピュータ・システム。
【請求項２９】
前記サブスクライバを係わり合わせることは、前記第１のドキュメント及び前記第２のドキュメントのうちの前記少なくとも１つのものに対して任意のアクションを実行することを含む、請求項２７記載のコンピュータ・システム。
【請求項３０】
前記サブスクライバ・モジュールが、更に、前記サブスクライバ及び前記別のサブスクライバのうちの少なくとも１つのサブスクライバによる前記第１のドキュメント及び前記第２のドキュメントのうちの少なくとも１つのドキュメントの評価を可能にするよう適合されている、請求項２７記載のコンピュータ・システム。
【請求項３１】
前記評価が、前記第１のドキュメント及び第２のドキュメントのうちの少なくとも１つのものを量的に評価すること及び質的に評価することを更に含む、請求項３０記載のコンピュータ・システム。
【請求項３２】
前記サブスクライバ・モジュールが更にコントロール・モジュールを備え、前記コントロール・モジュールは、前記第２のドキュメントを前記第１のドキュメントにリンクさせることを容易にするよう適合されている、請求項２７記載のコンピュータ・システム。
【請求項３３】
前記サブスクライバ・モジュールが、前記第１のドキュメントと前記第２のドキュメントとの間の前記リンクの視覚的表現を表示するよう適合されており、前記視覚的表現が、前記第１のドキュメントに対する前記第２のドキュメントの世代レベルの視覚的指示を同心の曲線のビューで提供する、請求項３２記載のコンピュータ・システム。
【請求項３４】
前記同心の曲線のビューが１又はそれより多くの同心の環を有し、それぞれの環が前記クエリに対する世代を表す、請求項３３記載のコンピュータ・システム。
【請求項３５】
前記第１のドキュメントが、事前定義された限定サイズを有する第１のヘッダ・データを備え、前記第１のドキュメントと関連したデータの量を前記限定サイズにより抑制することにより、前記サブスクライバが前記クエリと関連したヘッダを圧縮することを可能にする、請求項２７記載のコンピュータ・システム。
【請求項３６】
前記第１のドキュメントが、事前定義された限定サイズを有する第１のボディ・データを備え、前記第１のドキュメントと関連したデータの量を前記限定サイズにより抑制することにより、前記サブスクライバが前記クエリと関連したボディを圧縮することを可能にする、請求項２７記載のコンピュータ・システム。
【請求項３７】
前記サブスクライバ・モジュールは、前記第１のドキュメント及び前記第２のドキュメントのうちの少なくとも１つのものへのアクセスを少なくとも１つの他のサブスクライバへ提供するよう適合されており、前記少なくとも１つの他のサブスクライバは、前記サブスクライバ・モジュールを介して、前記第１のドキュメント、前記第２のドキュメント、及び１又はそれより多くの他のドキュメントのうちの少なくとも１つのドキュメントを格付けすることができる、請求項２７記載のコンピュータ・システム。
【請求項３８】
前記少なくとも１つの他のサブスクライバが、別のサブスクライバ・モジュールの少なくとも１つのものを介して、前記第１のドキュメント及び前記第２のドキュメントのうちの前記少なくとも１つのドキュメントへアクセスする、請求項３７記載のコンピュータ・システム。
【請求項３９】
前記サブスクライバ・モジュール及び前記少なくとも１つの他のサブスクライバのそれぞれが、前記第１のドキュメントへ別のドキュメントを添付することを容易にするよう適合されている、請求項３８記載のコンピュータ・システム。
【請求項４０】
前記別のドキュメントが、テキスト・ドキュメント、グラフィカル・ドキュメント、オーディオ・ファイル、ビデオ・ファイル、及びこれらの組み合わせのうちの少なくとも１つであることができる、請求項３９記載のコンピュータ・システム。
【請求項４１】
前記サブスクライバ・モジュール及び前記少なくとも１つの他のサブスクライバ・モジュールのそれぞれが、前記別のドキュメントの生成を可能にするよう適合されている請求項３９記載のコンピュータ・システム。
【請求項４２】
前記サブスクライバ・モジュールはオーファニジ・モジュールを更に備え、前記オーファニジ・モジュールは、１又はそれより多くの別のサブスクライバがアクセス可能な１又はそれより多くのオーファン・ドキュメントを格納する、請求項２７記載のコンピュータ・システム。
【請求項４３】
前記サブスクライバ・モジュールは、前記サブスクライバのパーソナル・アカウントにアクセスするよう適合されており、前記パーソナル・アカウントは、前記サブスクライバにとってのみアクセス可能である、請求項２７記載のコンピュータ・システム。
【請求項４４】
前記サブスクライバ・モジュールはマネジャ・モジュールを更に含み、前記マネジャ・モジュールは、前記サブスクライバ・モジュールと関連した１又はそれより多くのサービスの活動化を容易にするよう適合されている、請求項２７記載のコンピュータ・システム。
【請求項４５】
少なくとも１つのプロセッサと、１又はそれより多くのドキュメントを格納するよう構成された少なくとも１つのデータ記憶手段とを含み、１又はそれより多くのサブスクライバが１又はそれより多くのドキュメントをリンクすること及び前記１又はそれより多くのドキュメントに係わり合うことを可能にするよう構成されるシステムにおいてインプリメントするためのコンピュータ・プログラム製品であって、
方法を実行するためのコンピュータ実行可能命令を保持するコンピュータ読取可能媒体を備え、前記コンピュータ実行可能命令が実行されると、前記システムに、
１以上のサブスクライバのうちの１つのサブスクライバに第１のドキュメントを表示するステップと、
多重線形の共通の階層型のドキュメントのチェーンに、少なくとも１つの別のドキュメントを前記第１のドキュメントと共に含むように、前記少なくとも１つの別のドキュメントを前記第１のドキュメントにリンクさせるステップであって、前記多重線形の共通の階層型のドキュメントのチェーンは、前記第１のドキュメントに関連する複数のリンクされたドキュメントを含むものである、ステップと、
前記サブスクライバにより選択されたユーザ調節可能な匿名性レベルを有しつつ、前記第１のドキュメント及び前記少なくとも１つの別のドキュメントとの前記サブスクライバによる係わり合いを容易にするステップであって、前記サブスクライバは、最初の匿名性レベルを選択した後、ドキュメントが前記多重線形の共通の階層型のドキュメントのチェーンにリンクされた後に該多重線形の共通の階層型のドキュメントのチェーン中の前記少なくとも１つの別のドキュメントに対応する前記の選択された最初の匿名性レベルを選択的に調節するものであり、当該ステップは、前記サブスクライバにより提起されたクエリに応答してなされるものである、ステップと、
を実行させる、
コンピュータ・プログラム製品。
【請求項４６】
前記コンピュータ読取可能媒体は、更に、前記第１のドキュメントへの少なくとも１つの別のドキュメントの前記リンクの視覚的表現を表示するステップを実行するためのコンピュータ実行可能命令を保持する、請求項４５記載のコンピュータ・プログラム製品。
【請求項４７】
前記コンピュータ読取可能媒体は、更に、前記視覚的表現の一部として少なくとも１つの世代マーカを表示するステップを実行するためのコンピュータ実行可能命令を保持する、請求項４６記載のコンピュータ・プログラム製品。
【請求項４８】
前記コンピュータ読取可能媒体は、更に、前記サブスクライバの前記匿名性レベルを定義するステップを実行するためのコンピュータ実行可能命令を保持し、前記匿名性レベルは、完全な匿名性、実質的に完全な匿名性、選択的な匿名性、及び公開を含むグループから選択される、請求項４６記載のコンピュータ・プログラム製品。
【請求項４９】
前記コンピュータ読取可能媒体は、更に、前記サブスクライバと前記第１のドキュメント及び前記少なくとも１つの別のドキュメントのうちの少なくとも１つのものとの係わり合いを容易にするステップを実行するためのコンピュータ実行可能命令を保持する、請求項４５記載のコンピュータ・プログラム製品。
【請求項５０】
前記コンピュータ読取可能媒体は、更に、前記第１のドキュメント及び前記少なくとも１つの別のドキュメントに対して前記サブスクライバにより実行されたアクションを追跡するステップを実行するためのコンピュータ実行可能命令を保持する、請求項４９記載のコンピュータ・プログラム製品。
【請求項５１】
前記コンピュータ読取可能媒体は、更に、前記サブスクライバにより実行された前記アクションに基づいて、前記サブスクライバに対する１又はそれより多くのメリット・ポイントを生成するステップを実行するためのコンピュータ実行可能命令を保持する、請求項５０記載のコンピュータ・プログラム製品。
【請求項５２】
前記コンピュータ読取可能媒体は、更に、前記１又はそれより多くのメリット・ポイントの数を追跡し、前記数がスレッショルド値より下になると、前記サブスクライバが前記少なくとも１つの別のドキュメントを前記第１のドキュメントへ又は前記少なくとも１つの別のドキュメント中の他のドキュメントへリンクすることを防止するステップを実行するためのコンピュータ実行可能命令を保持する、請求項５１記載のコンピュータ・プログラム製品。
【請求項５３】
前記コンピュータ読取可能媒体は、更に、前記１又はそれより多くのメリット・ポイントの前記数を示すステップを実行するためのコンピュータ実行可能命令を保持する、請求項５１記載のコンピュータ・プログラム製品。
【請求項５４】
前記コンピュータ読取可能媒体は、更に、前記サブスクライバによる前記第１のドキュメント及び前記第２のドキュメントのうちの少なくとも１つの評価を行うステップを実行するためのコンピュータ実行可能命令を保持する、請求項５１記載のコンピュータ・プログラム製品。
【請求項５５】
前記コンピュータ読取可能媒体は、更に、前記第１のドキュメント及び前記少なくとも１つの別のドキュメントのうちの少なくとも１つのものを量的に評価するため及び質的に評価するためのステップを実行するためのコンピュータ実行可能命令を保持する、請求項５４記載のコンピュータ・プログラム製品。
【請求項５６】
前記コンピュータ読取可能媒体は、更に、前記第１のドキュメント及び前記少なくとも１つの別のドキュメントのうちの少なくとも１つのものを格付けするステップを実行するためのコンピュータ実行可能命令を保持する、請求項５４記載のコンピュータ・プログラム製品。
【請求項５７】
前記コンピュータ読取可能媒体は、更に、前記第１のドキュメントに含まれるクエリに応答するための１又はそれより多くの他のサブスクライバを前記サブスクライバにより選択させるステップを実行するためのコンピュータ実行可能命令を保持する、請求項４５記載のコンピュータ・プログラム製品。
【請求項５８】
前記コンピュータ読取可能媒体は、更に、前記第１のドキュメントの評価と関連した採点と１又はそれより多くのコメントとのうちの少なくとも１つのものを表示するステップを実行するためのコンピュータ実行可能命令を保持する、請求項４５記載のコンピュータ・プログラム製品。
【請求項５９】
前記コンピュータ読取可能媒体は、更に、前記第１のドキュメントのサイズを限定するステップを実行するためのコンピュータ実行可能命令を保持し、それにより、前記サブスクライバが前記第１のドキュメントに含まれるクエリを前記のサイズ限定まで圧縮することを促進する、請求項４５記載のコンピュータ・プログラム製品。